(57)【要約】【課題】本発明は、構造物に発生する変形の進行状況を経時的、または経年的に把握するために用いられる測定装置装着構造に関するものである。【解決手段】離隔した１対の対象物間の距離を測定する測定装置１を着脱自在に装着しうる測定装置装着構造であって、前記１対の対象物のいずれか一方の対象物に一体に固定される装着ホルダー20と、前記測定装置１が着脱自在に装着できるとともに、前記装着ホルダー20が着脱自在に嵌合できる連結アダプター30と、前記連結アダプター30を前記装着ホルダー20に一体に固定できる固定手段とを具備した測定装置装着構造。【選択図】          図１
2006138709.tif 000002
【特許請求の範囲】
【請求項１】
離隔した１対の対象物間の距離、または、１対の対象物を結ぶ線に対し直角方向へのずれを測定する物差し、巻尺等の機械的測定手段によらない測定装置を着脱自在に装着しうる測定装置装着構造であって、
前記１対の対象物のいずれか一方の対象物に一体に固定される装着ホルダーと、
該装着ホルダーにおける前記測定装置との嵌合部分を覆うように、前記装着ホルダーに着脱自在に装着されるカバーと、
前記測定装置を前記装着ホルダーに一体に固定できるとともに前記カバーを該装着ホルダーに一体に固定できる固定手段とを具備し、
前記測定装置は前記装着ホルダーに着脱自在に嵌合されることを特徴とする測定装置装着構造。
【請求項２】
離隔した１対の対象物間の距離、または、１対の対象物を結ぶ線に対し直角方向へのずれを測定する物差し、巻尺等の機械的測定手段によらない測定装置を着脱自在に装着しうる測定装置装着構造であって、
前記１対の対象物のいずれか一方の対象物に一体に固定される装着ホルダーと、
前記測定装置が着脱自在に装着できるとともに、前記装着ホルダーに着脱自在に嵌合できる連結アダプターと、
前記装着ホルダーにおける該連結アダプターとの嵌合部分を覆うように、前記装着ホルダーに着脱自在に装着されるカバーと、
前記連結アダプターを前記装着ホルダーに一体に固定できるとともに前記カバーを該装着ホルダーに一体に固定できる固定手段とを具備したことを特徴とする測定装置装着構造。
【請求項３】
前記装着ホルダーと前記連結アダプターとの嵌合部分には、該装着ホルダーの相対する壁面部に凹部が形成されるとともに、前記連結アダプターの相対する壁面部には、前記凹部に出没自在に嵌合しうる球体と、該球体を前記凹部に保持する押え部材とが設けられたことを特徴とする請求項２記載の測定装置装着構造。
【請求項４】
前記測定装置と前記連結アダプターとの装着部分には、該両者が配列される方向に対し直交する方向に指向した前記装着部分のいずれか一方の係合溝と、該係合溝に係脱自在に係合しうる前記装着部分の他方の係合突部とが形成されるとともに、前記測定装置または前記連結アダプターのいずれか一方に、前記係合溝と係合突部との相対移動を阻止するストッパー部が形成されたことを特徴とする請求項２記載の測定装置装着構造。
【発明の詳細な説明】
【技術分野】
【０００１】
本発明は、構造物に発生する変形の進行状況を経時的、または経年的に把握するために用いられる測定装置装着構造に関するものである。
【背景技術】
【０００２】
特許文献１において、ビル、橋梁、トンネル等の構造物に発生する亀裂の進行状況を検出するために、従来例として例示されたものの中に、測定対象物の離れた２個所にそれぞれアンカーボルトを打ち込み、目盛のついた細幅板をこれらアンカーボルトに取り付け、この２枚の細幅板を接近させた状態で、目盛の変化を読み取ることによって、構造物の亀裂進行状況を検出する方法が説明されている。
【特許文献１】特開２００２−３４０５２９号公報
【発明の開示】
【発明が解決しようとする課題】
【０００３】
このような検出方法では、トンネル、道路、橋梁等の大型土木構造物における地殻変動等による構造物の変形は、数年に亘って少しずつ進行するために、前述したような測定方法では、細幅板が経年変化で老化し、あるいは風雨や人または移動物との接触等によって、アンカーボルトと細幅板との取り付け位置に狂いが生じ、正確な計測結果が得られない欠点がある。
【０００４】
また、大型土木構造物では、測定すべき２個所間の距離が長く、かつその２個所間が平坦な平面となっていない場合が多いため、巻尺等の機械的測定手段によって、前記２個所間の距離を測定することが困難であり、しかも、高い測定精度が得られにくい欠点があった。
【０００５】
本発明の課題は、前述したような従来のものの不具合や欠点を解消することにある。
【課題を解決するための手段】
【０００６】
請求項１記載の発明は、離隔した１対の対象物間の距離、または、１対の対象物を結ぶ線に対し直角方向へのずれを測定する物差し、巻尺等の機械的測定手段によらない測定装置を着脱自在に装着しうる測定装置装着構造であって、前記１対の対象物のいずれか一方の対象物に一体に固定される装着ホルダーと、該装着ホルダーにおける前記測定装置との嵌合部分を覆うように、前記装着ホルダーに着脱自在に装着されるカバーと、前記測定装置を前記装着ホルダーに一体に固定できるとともに前記カバーを該装着ホルダーに一体に固定できる固定手段とを具備し、前記測定装置は前記装着ホルダーに着脱自在に嵌合されることを特徴とするものである。
【０００７】
請求項２記載の発明は、離隔した１対の対象物間の距離、または、１対の対象物を結ぶ線に対し直角方向へのずれを測定する物差し、巻尺等の機械的測定手段によらない測定装置を着脱自在に装着しうる測定装置装着構造であって、前記１対の対象物のいずれか一方の対象物に一体に固定される装着ホルダーと、前記測定装置が着脱自在に装着できるとともに、前記装着ホルダーに着脱自在に嵌合できる連結アダプターと、前記装着ホルダーにおける該連結アダプターとの嵌合部分を覆うように、前記装着ホルダーに着脱自在に装着されるカバーと、前記連結アダプターを前記装着ホルダーに一体に固定できるとともに前記カバーを該装着ホルダーに一体に固定できる固定手段とを具備したことを特徴とするものである。
【０００８】
請求項３記載の発明は、前記装着ホルダーと前記連結アダプターとの嵌合部分には、該装着ホルダーの相対する壁面部に凹部が形成されるとともに、前記連結アダプターの相対する壁面部には、前記凹部に出没自在に嵌合しうる球体と、該球体を前記凹部に保持する押え部とが設けられたことを特徴とするものである。
【０００９】
請求項４記載の発明は、前記測定装置と前記連結アダプターとの装着部分には、該両者が配列される方向に対し直交する方向に指向した前記装着部分のいずれか一方の係合溝と、該係合溝に係脱自在に係合しうる前記装着部分の他方の係合突部とが形成されるとともに、前記測定装置または前記連結アダプターのいずれか一方に、前記係合溝と係合突部との相対移動を阻止するストッパー部が形成されたことを特徴とするものである。
【発明の効果】
【００１０】
請求項１記載の発明では、離隔した１対の対象物間の距離を測定する必要がある時に、該１対の対象物のいずれか一方の対象物に一体に固定された装着ホルダーに、物差し、巻尺等の機械的測定手段によらない測定装置を嵌合し、該測定装置を前記装着ホルダーに固定手段でもって一体に固定した後、該測定装置を動作させることにより、離隔した１対の対象物間の距離を容易に測定し、ビル、橋梁、トンネル等の構造物に発生する変形の進行状況を経時的、または経年的に把握することができる。
【００１１】
また、測定装置を手で持って測定せず、装着ホルダーを介して１対の対象物のいずれか一方の対象物に測定装置を一体に固定したため、離隔した１対の対象物間の距離を高い測定精度で測定することができる。
【００１２】
さらに、所定の長期間毎の測定を行なう場合には、１対の対象物のいずれか一方の対象物に測定装置を常時付設せず、測定を必要とする所定の時期にのみ測定装置を１対の対象物のいずれか一方に固定すれば足りるため、多数の測定装置を用意する必要がなくなって、コストダウンを図ることができるとともに、測定装置を風雨に晒すことを避けることによって測定装置の耐用年数を大巾に増大することができる。
【００１３】
さらにまた、離隔した１対の対象物間の距離を測定する必要のない間では、装着ホルダーにカバーを装着し、固定手段でもって、該カバーを装着ホルダーに一体に固定することにより、風雨に伴なって飛来する塵埃・雨水による前記装着ホルダーの汚染や腐蝕を未然に阻止することができるので、該装着ホルダーの耐久性を向上させることができるとともに、測定を必要とする場合に、前記装着ホルダーの修理、清掃等を必要とせずに前記装着ホルダーに前記測定装置を装着して直ちに測定を行なうことができる。
【００１４】
請求項２記載の発明では、離隔した１対の対象物のいずれか一方の対象物に一体に固定された装着ホルダーと、離隔した１対の対象物間の距離を測定する物差し・巻尺等の機械的測定手段によらない測定装置とに、連結アダプターを着脱自在に介装したため、前記装着ホルダーに着脱自在に嵌合される連結アダプターに大きな着脱反力を負担させて、前記測定装置に大きな着脱反力を負担させることを回避できる結果、該測定装置の損傷や耐久性の低下を防止できる。
【００１５】
請求項３記載の発明では、何等の係脱操作を必要とせずに、前記測定装置を結合した前記連結アダプターを持って前記装着ホルダーに向けて力を加えるだけで、前記測定装置を前記装着ホルダーに頗る簡単に装着することができる。
【００１６】
また、何等の係脱操作を必要とせずに、前記装着ホルダーに装着された前記連結アダプターを持って前記装着ホルダーから離れる方向に力を加えるだけで、該装着ホルダーから前記連結アダプターを極めて簡単に取り外すことができる。
【００１７】
請求項４記載の発明では、前記連結アダプターに前記測定装置が装着された場合には、前記測定装置または前記連結アダプターに形成されたストッパー部を操作した状態で、前記係合溝に沿って前記測定装置を移動させれば、該測定装置を前記連結アダプターから容易に取り外すことができる。
【００１８】
また、前記連結アダプターに前記測定装置を装着する場合には、前記測定装置または前記連結アダプターのいずれか一方に形成された係合溝の端部に、他方に形成された係合突部を当てがって、該係合溝に沿って前記測定装置を移動させるだけで、前記連結アダプターに前記測定装置が外れないように簡単に装着することができる。
【発明を実施するための最良の形態】
【００１９】
以下、図１ないし図１８に図示された本発明の一実施形態について説明する。
【００２０】
測定装置１は、携帯型レーザー距離計で、該測定装置１のケースは硬質の合成樹脂よりなり、該測定装置１は、測定装置１の先端部２から投射されたレーザー光が、その前方に離れた距離測定対象物（図示されず）の対向面に反射して戻って来る時間を検出することにより、測定装置１の測定基準位置から距離測定対象物の対向面迄の距離を測定し、これを記録し、必要に応じて記録された測定値を測定装置１の一方の側面１ａの測定値表示部３に表示し、また、測定値表示部３に隣接する下面に設けられた出力端子（図示されず）から他の機器にその測定データを送信できるようになっている。
【００２１】
また、図３に図示されるように、前記出力端子を開閉自在に覆う出力端子蓋４が設けられており、不使用時には、前記出力端子を出力端子蓋４で覆って出力端子の雨水等の濡れや汚れが防止されるようになっている。
【００２２】
さらに、図５に図示されるように、測定装置１の基端部５の上下中央部には、表面に同芯円状突条を有する係脱押し片６が設けられ、この係脱押し片６の表面の長手方向略中央に係止爪７が一体に形成され、この係脱押し片６に隣接して電池収納蓋８が着脱自在に装着されており、電池収納蓋８を取り外して測定装置１内に図示されない電池の交換を行なうことができるようになっている。
【００２３】
さらにまた、測定装置１の基端部５の上下両側にはその側面に沿い平行な左右１対の案内突条９が形成されている。
【００２４】
測定装置１の基端部５に着脱自在に装着されるエンドキャップ10も測定装置１のケースと同様な硬質の合成樹脂からなり、図８に図示されるように、測定装置１との合わせ部分を除いて殻状に形成され、相対する１対の幅の長い長壁部11の中央部は補強リブ13で相互に一体に結合されて補強され、１対の長壁部11の端部を連結する幅の短い短壁部12の内面には、前後方向に指向した補強突条14が形成され、この短壁部12の内面には、前記測定装置１の案内突条９に係合し、短壁部12に沿ってエンドキャップ10が移動しうる係合溝15が形成されている。
【００２５】
また、エンドキャップ10の基端部16の中央から内包へ補強リブ13に沿い短円筒部17が形成され、この短円筒部17に金属製・雌ネジ部18（図８では、雌螺糸は見えない）がエンドキャップ10の成形時に一体に鋳込まれ、図８にて、係合溝15の端部が露出している切り欠き側長壁部11ａの端縁中央に係合突起19が形成されており、図１に図示されるように、エンドキャップ10に一体に結合される測定装置１を連結アダプター30に一体に取り付ける際に、連結アダプター30を貫通した雄ネジ40が金属製・雌ネジ部18に螺着されるようになっている。
【００２６】
建築構造物の離隔した相対する１対のコンクリート製柱の一方の柱27（図９参照）に３本のアンカーボルト28が一体に埋設されている。本実施形態では、距離を測定すべき離隔した１対の対象物が建築構造物の柱であったが、距離を測定すべき構造物がトンネルの場合には、トンネルの内壁面に所定の距離をおいて１対の突起を形成し、この１対の突起のいずれか一方の相対する面にアンカーボルト28を埋設すればよい。
【００２７】
図９および図１０に図示の柱27に固定されるステンレス鋼製装着ホルダー20は、Ｔ字状の基板21と、溶接または鋳込み等でこれと一体に結合された短角筒部22とよりなり、図１０に図示されるように、基板21の一方の岐片２１ｂにボルト孔23が形成され、残りの２岐片21ａ、21ｃに切欠き24が形成され、岐片21ａが設けられている側の反対側の短角筒部22の長側壁22ａにネジ孔25が形成されるとともに、相対する短角筒部22の短側壁22ｂ、22ｃに係止孔26が形成されている。
【００２８】
測定装置１のエンドキャップ10に着脱自在に装着される連結アダプター30は、図１１ないし図１６に図示されるように、略直方体状のアルミニューム製ブロックよりなり、連結アダプター30の上下寸法は、鋼製装着ホルダー20の上下寸法に比べて或る程度小さく、連結アダプター30の頂部一側部には、前方に向って先細の突条31が一体に形成され、連結アダプター30の頂面30ａ中央から連結アダプター30の基端面30ｂに亘り孔32が形成され、図１４に図示されるように、該孔32の基端に拡径孔部32ａが形成されている。
【００２９】
また、図１４および図１５に図示されるように、突条31と反対側の側部略中央に盲孔33が形成され、盲孔33が設けられた高さと略同じ高さで連結アダプター30の上下面に、略半球面状の半球状凹部34が形成され、図１７に図示されるように、この半球状凹部34に半球状凹部34よりもやや小径の鋼球35が遊嵌され、半球状凹部34の開口周辺の環状凹部36にリング37と多数の小鋼球38とが装入され、リング37および小鋼球38が環状凹部36から脱落しないように、環状凹部36の内周面36ａにリング状押え片39の外周部39ａがカシメ付けされている。
【００３０】
さらに、図１８に図示されるように、装着ホルダー20の短角筒部22の開口部を覆うステンレス鋼製のカバー41の内周部は、装着ホルダー20の短角筒部22の外周部より僅かに大きく形成され、カバー41が装着ホルダー20の短角筒部22に嵌合された際に、ネジ孔25に相対するカバー41の側壁41ａの個所に孔42が形成されている。
【００３１】
さらにまた、装着ホルダー20においては、短角筒部22の短側壁22ｂの外側面に突片43が溶接等で一体に固着され、この突片43に連結金具44の一方の連結環45が取付けられ、連結金具44の他方の連結環46にワイヤ47を介して止めネジ48が連結されている。
【００３２】
図１ないし図１８に図示の実施形態は前述したように構成されているので、柱27に一体に固定された装着ホルダー20に測定装置１を装着するには、下記のような作業を行なえばよい。
【００３３】
まず、柱27に埋設されたアンカーボルト28に装着ホルダー20のボルト孔23および切欠き24を嵌合し、アンカーボルト28にナット29を螺合緊締することにより、装着ホルダー20を柱27に予じめ一体に取り付ける。
【００３４】
図１において、測定値表示部３が設けられている測定装置１の一方の側面１ａ側から、エンドキャップ10の切り欠き側長壁11ａを接近させ、エンドキャップ10の係合溝15の端部を測定装置１の案内突条９に嵌合させ、エンドキャップ10を矢印Ａ方向に移動させ、係脱押し片６の係止爪７をエンドキャップ10の係合突起19が乗り越えるように、エンドキャップ10を同じ方向へ強く押せば、係止爪７に係合突起19が係合し、測定装置１にエンドキャップ10が一体に結合される。
【００３５】
次に、エンドキャップ10の基端面10ａに連結アダプター30の頂面30ａを当てがい、孔32の基端の拡径孔部32ａより雄ネジ40を挿入し、雄ネジ40の先端雄ネジ40ａを金属製・雌ネジ部18に螺合緊締することにより、連結アダプター30はエンドキャップ10に一体に結合される。
【００３６】
さらに、連結アダプター30の基部30ｃを装着ホルダー20の開口部20ａに嵌め込んでから、連結アダプター30を傾け、１対の鋼球35のいずれか一方を１対の装着ホルダー20のいずれかに嵌合させた後、装着ホルダー20の短角筒部22の中心線に連結アダプター30の中心線を合わせるように連結アダプター30を押し込むことにより、装着ホルダー20に嵌合された鋼球35を中心に連結アダプター30が揺動し、他方の鋼球35が装着ホルダー20の短角筒部22の内周面上を転がり、他方の鋼球35が他方の係止孔26に嵌合され、測定装置１は連結アダプター30およびエンドキャップ10を介して装着ホルダー20に保持される。
【００３７】
最後に、止めネジ48を装着ホルダー20のネジ孔25にネジ込んで、止めネジ48の先端を連結アダプター30の盲孔33に押し込むと、連結アダプター30は装着ホルダー20に強固に固定され、かくして、測定装置１はエンドキャップ10および連結アダプター30を介して柱27と一体の装着ホルダー20に確実に取り付けられる。
【００３８】
前述した操作と逆の操作を行なうことにより、装着ホルダー20に取り付けられた測定装置１を容易に取り外すことができる。
【００３９】
このように、常時、測定装置１を装着ホルダー20に固定せずに、測定を必要とする時だけ、測定装置１を装着ホルダー20に取り付け、測定を終えた後は、測定装置１を装着ホルダー20から取り外すことができるので、測定を必要とする個所の数に対応した個数の測定装置１を用意するだけで足りる結果、測定装置１の個数を著しく削減でき、大巾なコストダウンを図ることができる。
【００４０】
また、常時、測定装置１を装着ホルダー20に付設する必要がないため、測定装置１が風雨に晒されることがなく、測定装置１の耐久性が著しく向上する。
【００４１】
さらに、測定装置１を固定保持する装着ホルダー20は、柱27に埋設されたアンカーボルト28にナット29による強固に固定されているため、時間間隔が長期間であっても、測定すべき１対の対象物にずれが生ずる惧れがなく、測定結果の信頼性が頗る高い。
【００４２】
さらにまた、測定装置１をエンドキャップ10および連結アダプター30と共に装着ホルダー20から取り外した後に、カバー41を装着ホルダー20の短角筒部22に嵌め込んでから、止めネジ48を装着ホルダー20のネジ孔25にネジ込んで、止めネジ48の先端をカバー41の孔42に係合させれば、カバー41は装着ホルダー20に強固に固定され、雨やごみ等が短角筒部22内に侵入することが阻止されるため、測定装置１の取り付け時に装着ホルダー20の短角筒部22内を清掃する必要がなく、測定作業を能率良く遂行することができる。
【００４３】
また、測定装置１の係脱押し片６を押し込み、Ａ方向と逆方向へエンドキャップ10を押せば、測定装置１からエンドキャップ10を取り外すことができ、他のアダプターを測定装置１に取り付けることにより、アダプター底部に当接する個所からこれに対向した柱面、壁面等の対象物表面の距離を測定することもできる。
【００４４】
図１ないし図１８に図示の実施形態では、装着ホルダー20の短角筒部22は基板21に一体に固定されているため、装着ホルダー20に装着された測定装置１は一定の方向のみに向き、他の方向には向きを変えることができなかったが、図１９ないし図２６に図示の実施形態では、下記に説明するような構造となっているので、測定装置１の向きを変えることができる。
【００４５】
図１９ないし図２６に図示の実施形態でも、測定装置１、エンドキャップ10および連結アダプター30は図１ないし図１８に図示の実施形態と同様に構成され、装着ホルダー20が装着ホルダー50に変わっている。
【００４６】
装着ホルダー50は、基体51とアダプター保持体60とよりなり、基体51の基板52は装着ホルダー20の基板21と同様にＴ字状をなし、基板52の一方の岐片52ｂにボルト孔53が形成されるとともに、残りの２岐片52ａ、52ｃに切欠き54が形成され、相対する岐片52ｂ、52ｃに、基板52の巾方向に沿い基板52に対し直角に起立して２枚の支持板55が一体に設けられ、この２枚の支持板55の中央にそれぞれ孔56が形成されるとともに、この孔56を中心とした半円弧溝57がそれぞれ形成され、これらは、ステンレス鋼製であり、基体51は、装着ホルダー20と同様に柱27に埋設されたアンカーボルト28に螺合緊締されるナット29により、柱27に一体に取り付けられている。
【００４７】
アダプター保持体60は、横断面寸法が連結アダプター30と略同一の中実直方体状揺動基部61と、この揺動基部61の頂部に嵌着できる大きさの角筒部70とよりなり、これら揺動基部61と角筒部70はいずれもステンレス鋼製であり、揺動基部61の上下面に、連結アダプター30の半球状凹部34および環状凹部36と同様な半球状凹部62と環状凹部64とが形成され、この半球状凹部62に鋼球63が嵌合され、環状凹部64には、連結アダプター30と同様にリング65と多数の小鋼球66が嵌装され、これらリング65および小鋼球66はリング状押え片67で環状凹部64に押え込まれて、リング状押え片67はこの環状凹部64にカシメ付けされている。
【００４８】
揺動基部61の上下面には、半球状凹部62の中心から半円弧溝57の半径と同一距離だけ離れた個所にネジ孔68が形成されている。
【００４９】
揺動基部61に嵌合される角筒部70は、溶接でもって揺動基部61に一体に固着され、角筒部70の一方の長側壁70ａにネジ孔71が形成されるとともに、相対する角筒部70の短側壁70ｂに係止孔72が形成され、
図２６に図示されるように、角筒部70には、装着ホルダー20と同様に、連結突片73がいずれか一方の短側壁70ｂに一体に固着され、この連結突片73には、図１８と同様な止めネジ48が連結環45、連結金具44、連結環46、ワイヤ47を介して取り付けられている。
【００５０】
図１ないし図１８に図示の第１実施形態では、柱27と一体の装着ホルダー20に連結アダプター30が直接嵌合固定されていたが、図１９ないし図２６の第２実施形態では、アダプター保持体60の鋼球63が基体51における支持板55の孔56に嵌合され、支持板55の半円弧溝57を貫通した蝶ネジ69がアダプター保持体60のネジ孔68に螺合され、アダプター保持体60と一体の角筒部70に連結アダプター30嵌合固定されているため、第１実施形態では、測定装置１が柱27の表面27ａ（図９参照）に対し直角方向へ指向して固定されているのに対し、第２実施形態では、測定装置１が柱27の表面27ａに対し、１対の孔56の中心を結ぶ直線を中心として揺動可能となっている。
【００５１】
このため、第２実施形態では、柱27の表面27ａに対して所定の角度傾斜した方向の対象物の表面への距離をも測定することができる。
【００５２】
測定装置１は、携帯型レーザー距離計であったが、電気または磁気、音波等を利用して距離を測定する装置を利用してもよい。
【００５３】
前述した実施形態では、いずれも測定装置１は、１対の対象物間の距離を測定するものであったが、一方の対象物を基準として、他方の対象物の特定点に向う線を基準線とし、この特定点が所定期間経過後に、前記基準線に対し直角方向へどれだけずれたかを測定する測定装置を連結アダプター30に装着するようにしてもよい。
【００５４】
また、前記実施形態では、半球状凹部34、半球状凹部62に嵌合された鋼球35、63は、リング37、65、小鋼球38、66およびリング状押え片39、片67により、自転しうるが、半球状凹部34、62より脱落しないように保持されていたが、図示されない円筒状凹部と鋼球35、63とに比較的剛性の高いコイルバネを介装してもよい。
【００５５】
このコイルバネを介装すると、装着ホルダー20の係止孔26に対する連結アダプター30の鋼球35の嵌脱や、基体51の孔56に対する揺動基部61の鋼球63の嵌脱や、角筒部70の連結突片73に対する連結アダプター30の鋼球35の嵌脱が容易になる。
【００５６】
図１ないし図１８に図示された実施形態や、図１９ないし図２６に図示された実施形態では、エンドキャップ10が測定装置１に着脱自在に装着され、このエンドキャップ10が連結アダプター30にさらに着脱自在に装着されていたが、測定装置１が連結アダプター30に雄ネジ40により直接着脱自在に装着されるように、測定装置１を構成してもよい。
【００５７】
また、測定装置１の基部を連結アダプター30と同様に直方体状に形成し、この測定装置１の直方体状基部を装着ホルダー20の短角筒部22に直接接合し、止めネジ48等で測定装置１を固定してもよい。
【図面の簡単な説明】
【００５８】
【図１】本発明の測定装置装着構造の一実施形態の分解斜視図である。
【図２】測定装置の側面図である。
【図３】測定装置の底面図である。
【図４】測定装置の先端面図である。
【図５】測定装置の基端面図である。
【図６】測定装置の基端部斜視図である。
【図７】斜視方向を変えた図６の要部拡大図である。
【図８】エンドキャップの要斜視図である。
【図９】装着ホルダーの短円筒部に取り付けた状態の側面図である。
【図１０】図９の正面図である。
【図１１】連結アダプターの側面図である。
【図１２】連結アダプターの頂面図である。
【図１３】連結アダプターの平面図である。
【図１４】図１２のXIV-XIV線に沿って裁断した断面図である。
【図１５】図１２のXV-XV線に沿って裁断した断面図である。
【図１６】図１２のXVI-XVI線に沿って裁断した断面図である。
【図１７】図１５の要部拡大断面図である。
【図１８】装着ホルダーにカバーを装着する状態を図示した斜視図である。
【図１９】本発明の第２実施携帯の分解斜視図である。
【図２０】装着ホルダーにアダプター保持体を取り付けた状態の側面図である。
【図２１】基体の平面図である。
【図２２】基体の正面図である。
【図２３】基体の側面図である。
【図２４】アダプター保持体の正面図である。
【図２５】アダプター保持体の頂面図である。
【図２６】アダプター保持体の側面図である。
【符号の説明】
【００５９】
１…測定装置、２…先端部、３…測定値表示部、４…出力端子蓋、５…基端部、６…係脱押し片、７…係止爪、８…電池収納蓋、９…案内突条、10…エンドキャップ、11…長壁部、12…短壁部、13…補強リブ、14…補強突条、15…係合溝、16…基端部、17…短円筒部、18…金属製・雌ネジ部、19…係合突起、20…装着ホルダー、21…基板、22…短角筒部、23…ボルト孔、24…切欠き、25…ネジ孔、26…係止孔、27…柱、28…アンカーボルト、29…ナット、30…連結アダプター、31…突条、32…孔、33…盲孔、34…半球状凹部、35…鋼球、36…環状凹部、37…リング、38…小鋼球、39…リング状押え片、40…雄ネジ、41…カバー、42…孔、43…突片、44…連結金具、45…連結環、46…連結環、47…ワイヤ、48…止めネジ、50…装着ホルダー、51…基体、52…基板、53…ボルト孔、54…切欠き、55…支持板、56…孔、57…半円弧溝、60…アダプター保持体、61…揺動基部、62…半球状凹部、63…鋼球、64…環状凹部、65…リング、66…小鋼球、67…リング状押え片、68…ネジ孔、69…蝶ネジ、70…角筒部、71…ネジ孔、72…係止孔、73…連結突片。
【図１】
2006138709.tif 000003
【図２】
2006138709.tif 000004
【図３】
2006138709.tif 000005
【図４】
2006138709.tif 000006
【図５】
2006138709.tif 000007
【図６】
2006138709.tif 000008
【図７】
2006138709.tif 000009
【図８】
2006138709.tif 000010
【図９】
2006138709.tif 000011
【図１０】
2006138709.tif 000012
【図１１】
2006138709.tif 000013
【図１２】
2006138709.tif 000014
【図１３】
2006138709.tif 000015
【図１４】
2006138709.tif 000016
【図１５】
2006138709.tif 000017
【図１６】
2006138709.tif 000018
【図１７】
2006138709.tif 000019
【図１８】
2006138709.tif 000020
【図１９】
2006138709.tif 000021
【図２０】
2006138709.tif 000022
【図２１】
2006138709.tif 000023
【図２２】
2006138709.tif 000024
【図２３】
2006138709.tif 000025
【図２４】
2006138709.tif 000026
【図２５】
2006138709.tif 000027
【図２６】
2006138709.tif 000028